(57)【特許請求の範囲】
【請求項１】
外力によって移動可能な景品の載置台を有し、該載置台上に載置された景品を遊技者の操作により取得可能としたゲーム装置であって、
前記載置台を移動させた外力が無くなると当該載置台を移動前の原点位置へ復帰させる原点復帰機構と、
前記載置台を移動させる力に対抗する制動力を発生する制動手段と、
前記載置台を前記原点位置から所定位置まで移動させた後、前記制動力をかけた状態で前記原点復帰機構により前記載置台を前記原点位置の方へ戻し、所定時間経過した時の前記載置台の位置と前記原点位置とが一致しないとき、当該位置と前記原点位置との差に応じて前記制動力を調整する制動力調整手段と
を備えたことを特徴とするゲーム装置。
【請求項２】
外力によって移動可能な景品の載置台を有し、該載置台上に載置された景品を遊技者の操作により取得可能としたゲーム装置であって、
前記載置台を移動させた外力が無くなると当該載置台を移動前の原点位置へ復帰させる原点復帰機構と、
前記載置台を移動させる力に対抗する制動力を発生する制動手段と、
前記載置台を定期的に所定量揺動させる載置台揺動手段と、
該載置台揺動手段により前記載置台を揺動させた後、前記制動力をかけた状態で前記原点復帰機構により前記載置台を前記原点位置の方へ戻し、所定時間経過した時の前記載置台の位置と前記原点位置と一致しないとき、当該位置と前記原点位置との差に応じて前記制動力を調整する制動力調整手段と
を備えたことを特徴とするゲーム装置。
【請求項３】
請求項１又は２記載のゲーム装置において、前記制動力調整手段は、前記所定時間経過した時の前記載置台の位置が前記原点位置とが一致しないとき、当該位置が前記原点位置の手前側であるときは、当該位置と前記原点位置との差に応じて前記制動力を弱めるように調整し、当該位置が前記原点位置を超えているときは、当該位置と前記原点位置との差に応じて、前記制動力を強めるように調整することを特徴とするゲーム装置。
【請求項４】
外力によって移動可能な景品の載置台を有し、該載置台上に載置された景品を遊技者の操作により取得可能としたゲーム装置であって、
前記載置台を移動させた外力が無くなると当該載置台を移動前の原点位置へ復帰させる原点復帰機構と、
前記載置台を移動させる力に対抗する制動力を発生する制動手段と、
前記載置台を前記原点位置から所定位置まで移動させた後、所定の制動力を制動手段に発生させて当該載置台を固定させ、その後、その制動力を徐々に弱めたとき、当該載置台が前記原点位置の方へ移動を開始したときの制動力を検出し、その検出された制動力に基づいて前記制動力を調整する制動力調整手段と
を備えたことを特徴とするゲーム装置。
【請求項５】
請求項４記載のゲーム装置において、前記制動力調整手段は、前記載置台を前記原点位置から所定位置まで移動させたときに発生する当該載置台を移動させる力と一致する前記制動力を基準制動力として設定し、前記検出された制動力が該基準制動力より大きいときは、その差に応じて前記制動力を弱めるように前記制動手段を調整し、前記検出された制動力が該基準制動力より小さいときは、その差に応じて前記制動力を強めるように前記制動手段を調整することを特徴とするゲーム装置。
【発明の詳細な説明】
【０００１】
【発明の属する技術分野】
本発明は、遊技者（以下「プレイヤ」という）の操作により、景品を取得可能なゲームを行うためのゲーム装置に関する。
【０００２】
【従来の技術】
この種のゲーム装置としては、吊り下げられた開閉自在な把持爪を用いて景品を掴み取り、所定位置でその景品を落として取得するクレーンゲーム装置や、景品を押し出すような構成にし、プレイヤが欲しい景品を直接狙えるようにした押出ゲーム装置がある。
【０００３】
このようなゲーム装置では、プレイヤの技量に左右されることが多く、景品の払出率を調整することは難しい。このため、景品取得の難易度を変えることで払出率を調整することができ、予め定めた景品の払出率を維持できるようなものが求められる。
【０００４】
【発明が解決しようとする課題】
ところが、払出率を維持できるような機能を設けた場合であっても、これらのゲーム装置は、その大部分が機械的要素で構成されるので、長期にわたって使用するうちに、その機械的要素の経年変化等が生じる。また、ゲーム装置を構成する部品毎あるいは完成品として組み立てたときの誤差や、ゲーム装置の設置場所の違い等によって動作精度に影響がでる場合がある。このため、安定した払出率の調節が困難となり、その結果、払出率を維持させるという本来の目的を達成することができなくなってしまう。
【０００５】
本発明の目的は、長期にわたって、安定した払出率の調節が可能なゲーム装置を提供することである。
【０００６】
【課題を解決するための手段】
本発明は、外力によって移動可能な景品の載置台を有し、該載置台上に載置された景品を遊技者の操作により取得可能としたゲーム装置であって、載置台を移動させた外力が無くなると当該載置台を移動前の原点位置へ復帰させる原点復帰機構と、載置台を移動させる力に対抗する制動力を発生する制動手段と、載置台を原点位置から所定位置まで移動させた後、制動力をかけた状態で原点復帰機構により載置台を原点位置の方へ戻し、所定時間経過した時の載置台の位置と原点位置とが一致しないとき、当該位置と原点位置との差に応じて制動力を調整する制動力調整手段とを備えたことを特徴とする。
【０００７】
本発明の第２の態様は、外力によって移動可能な景品の載置台を有し、該載置台上に載置された景品を遊技者の操作により取得可能としたゲーム装置であって、載置台を移動させた外力が無くなると当該載置台を移動前の原点位置へ復帰させる原点復帰機構と、載置台を移動させる力に対抗する制動力を発生する制動手段と、載置台を定期的に所定量揺動させる載置台揺動手段と、該載置台揺動手段により載置台を揺動させた後、制動力をかけた状態で原点復帰機構により載置台を原点位置の方へ戻し、所定時間経過した時の載置台の位置と原点位置とが一致しないとき、当該位置と原点位置との差に応じて制動力を調整する制動力調整手段とを備えたことを特徴とする。
【０００８】
本発明の第３の態様は、上記ゲーム装置において、制動力調整手段は、所定時間経過した時の載置台の位置が原点位置と一致しないとき、当該位置が原点位置の手前側であるときは、当該位置と原点位置との差に応じて制動力を弱めるように調整し、当該位置が原点位置を超えているときは、当該位置と原点位置との差に応じて、制動力を強めるように調整することを特徴とする。
【０００９】
本発明の第４の態様は、外力によって移動可能な景品の載置台を有し、該載置台上に載置された景品を遊技者の操作により取得可能としたゲーム装置であって、載置台を移動させた外力が無くなると当該載置台を移動前の原点位置へ復帰させる原点復帰機構と、載置台を移動させる力に対抗する制動力を発生する制動手段と、載置台を原点位置から所定位置まで移動させた後、所定の制動力を制動手段に発生させて当該載置台を固定させ、その後、その制動力を徐々に弱めたとき、当該載置台が原点位置の方へ移動を開始したときの制動力を検出し、その検出された制動力に基づいて制動力を調整する制動力調整手段とを備えたことを特徴とする。
【００１０】
本発明の第５の態様は、上記第４の態様のゲーム装置において、制動力調整手段は、載置台を原点位置から所定位置まで移動させたときに発生する当該載置台を移動させる力と一致する制動力を基準制動力として設定し、検出された制動力が該基準制動力より大きいときは、その差に応じて制動力を弱めるように制動手段を調整し、検出された制動力が該基準制動力より小さいときは、その差に応じて制動力を強めるように制動手段を調整することを特徴とする。
【００１１】
【作用及び効果】
本発明のゲーム装置によれば、景品の置かれる載置台が移動可能に構成され、載置台を移動させた外力が無くなると当該載置台を移動前の原点位置へ復帰させる原点復帰機構及び載置台を移動させる力に対抗する制動力を発生する制動手段を備えているので、原点復帰しようとする載置台に対する制動力を変化させれば、景品取得の難易度を調節することが可能となる。例えば、載置台に対する制動力を大きくすることで、景品を載置台より押し出すことが容易な状況を設定することができ、逆に、載置台に対する制動力を小さくすることで、景品を載置台より押し出すことが困難な状況を設定することができる。これにより、景品の払出率を調節することが可能となる。
【００１２】
このようなゲーム装置において、制動手段の個体差や経年変化により、所望の制動力が得られなかったり、所望の制動力を超えてしまうといった、制動手段の動作精度にずれが生じた場合であっても、本発明にかかる制動力調整手段を備えることで、所望の制動力が常に得られようになる。これにより、制動手段による景品取得の難易度調節が安定したものとなり、制動手段の個体差や経年変化に影響されることなく、予め定めた景品の払出率を維持させることが可能となる。
【００１３】
【発明の実施の形態】
図１は、本発明の実施形態である景品取得ゲーム装置１の全体外観を示す斜視図である。
【００１４】
景品取得ゲーム装置１の筐体２は、プレイヤの操作によるゲームを展開するゲーム空間４を内部に構成する本体部２ａ及び該本体部２ａに開閉自在に取り付けたドア部２ｂとで構成される。ドア部２ｂ上部の前面及び左右側面には、透明パネル３が取り付けられ、この透明パネル３により、外部よりゲーム空間４を見ることができるようになっている。
【００１５】
ゲーム空間４には、プレイヤによる操作に基づき駆動する景品押出手段８が設けられ、その奥側には、上下２箇所に、玩具などの景品７を載置するための載置台としてのトレイ５Ｌ１，５Ｌ２，５Ｌ３，５Ｌ４，５Ｒ１，５Ｒ２，５Ｒ３，５Ｒ４及び第１回動板３５Ｌ１，３５Ｒ１，３５Ｌ２，３５Ｒ２を回転自在に取り付けた基台６ａ，６ｂが設けられる。左右一対のトレイを一組として、各基台６ａ，６ｂ上に２組ずつ取り付ける。すなわち、一対のトレイ５Ｌ１，５Ｒ１と第１回動板３５Ｌ１とで一つの載置台を構成している。
【００１６】
このような構成の景品取得ゲーム装置１は、プレイヤの操作により上記景品押出手段８の位置決めがされた後、その景品押出手段８がゲーム空間４の前後方向（Ｙ軸方向）を後方に向かって自動的に移動し、景品押出手段８の先端に取り付けられた景品押出手段８がトレイ５Ｌ１，５Ｌ２，５Ｌ３，５Ｌ４，５Ｒ１，５Ｒ２，５Ｒ３，５Ｒ４上の景品７を押し出すことで景品７を取得可能なゲーム装置である。
【００１７】
景品押出手段８によりトレイ５Ｌ１，５Ｌ２，５Ｌ３，５Ｌ４，５Ｒ１，５Ｒ２，５Ｒ３，５Ｒ４上から押し出された景品７は、直接あるいはスロープ部１１を通って落し穴部１２に入り、後述の景品払出口１７より払い出される。
【００１８】
景品押出手段８は、モータの駆動によりＺ軸スライドレール９を上下に往復移動する移動体に取り付けられ、ゲーム空間４を上下方向（Ｚ軸方向）に移動可能に構成される。ゲーム実行中は、プレイヤにより後述の上昇操作ボタン１５が押されている間、Ｚ軸スライドレール９上を景品押出手段８が上方向に移動する。
【００１９】
Ｚ軸スライドレール９は、モータの駆動によりＸ軸スライドレール１０を左右に往復移動する移動体に取り付けられ、ゲーム空間４を左右方向（Ｘ軸方向）に移動可能に構成される。ゲーム実行中は、プレイヤにより後述の横移動操作ボタン１４が押されている間、Ｚ軸スライドレール９が右方向に移動する。
【００２０】
このように、プレイヤによる横移動操作ボタン１４及び上昇操作ボタン１５の操作により、景品押出手段８の位置決めが行われ、その決定した位置において、景品押出手段８がＹ軸方向を後方に向かって自動的に移動する。なお、景品押出手段８の駆動は、モータの駆動によりＹ軸方向を前後に移動するように構成される。
【００２１】
また、本ゲーム装置は、景品取得の困難性を付与するための機構を備えている。具体的には、トレイ５Ｌ１，５Ｌ２，５Ｌ３，５Ｌ４，５Ｒ１，５Ｒ２，５Ｒ３，５Ｒ４上の景品７が景品押出手段８により押されたとき、当該景品７とトレイ５Ｌ１，５Ｌ２，５Ｌ３，５Ｌ４，５Ｒ１，５Ｒ２，５Ｒ３，５Ｒ４の間に生じる摩擦力によってトレイ５Ｌ１，５Ｌ２，５Ｌ３，５Ｌ４，５Ｒ１，５Ｒ２，５Ｒ３，５Ｒ４が奥側（後方）に移動する機構である。詳しくは後述する。
【００２２】
ドア部２ｂの前面下部には、ゲーム操作部１３が設けられ、このゲーム操作部１３の上端部にはプレイヤの操作により景品押出手段８を右方向に移動させるための横移動操作ボタン１４、同じくプレイヤの操作により景品押出手段８を上方向に移動させるための上昇操作ボタン１５が設けられる。
【００２３】
ゲーム操作部１３の前面には、ゲームの実行に必要なコインを投入するためのコイン投入口１６及び取得した景品７が払い出される景品払出口１７が設けられる。
【００２４】
上昇操作ボタン１５の右側には、コイン投入口１６に投入されたコイン数に応じて実行可能なゲーム数を表示するゲームカウント表示部１８が設けられる。
【００２５】
横移動操作ボタン１４の左側には、ゲーム毎に数字の可変表示が実行され、所定態様（例えば“７７７”）で停止すればサービスプレイを付与するサービスプレイ表示部７２が設けられる。
【００２６】
サービスプレイとは、例えば、１コインで２プレイできるような場合で、プレイヤにとって有利なゲーム状態である。また、このサービスプレイを、後述のクラッチブレーキ２９の作動パターンの難易度を低くした景品の獲得し易いゲーム状態としてもよい。なお、サービスプレイは、上記のようなサービスプレイ表示部７２を利用したものに限らず、例えば、１００円玉１枚投入で１プレイのところ、５００円玉１枚投入で６プレイできるようにするといった場合もある。
【００２７】
これらゲームカウント表示部１８及びサービスプレイ表示部７２は、７セグメントＬＥＤで構成される。
【００２８】
また、本ゲーム装置は、所定期間中、例えばゲームが行われていないときに、いわゆるデモ演出として、トレイ５Ｌ１，５Ｌ２，５Ｌ３，５Ｌ４，５Ｒ１，５Ｒ２，５Ｒ３，５Ｒ４を前後に揺動させ、景品を揺らすような演出を行うよう構成されている。このようなデモ演出を行うための手段として、基台６ａ，６ｂの中央の後方位置に、後述の載置台揺動装置６０（図１２）の載置台揺動用回転軸６３が設けられる。この載置台揺動用回転軸６３の回転に応じてトレイ５Ｌ１，５Ｌ２，５Ｌ３，５Ｌ４，５Ｒ１，５Ｒ２，５Ｒ３，５Ｒ４が前後に動かされる。詳しくは後述する。
【００２９】
図２は、本発明の景品取得ゲーム装置１の動作を制御する制御手段の構成を示すブロック図である。ＣＰＵ，ＲＡＭ，ＲＯＭ等で構成される制御回路３０には、各種スイッチ，センサが接続され、これらからの入力信号に基づいて、制御回路３０は各種アクチュエータの動作を制御する。
【００３０】
制御回路３０に接続される各種スイッチ，センサとしては、ドア部２ｂの開閉を検知するためのドアセンサ２Ｓ、コイン投入口１６に投入されたコインを検出するコイン投入スイッチ１６Ｓ、横移動操作ボタン１４の操作入力を検出する横移動操作スイッチ１４Ｓ、上昇操作ボタン１５の操作入力を検出する上昇操作スイッチ１５Ｓ、景品払出口１７より払い出される景品を検出する景品検出センサ１７Ｓ、Ｚ軸スライドレール９のＸ軸方向の初期位置を検知するためのＸ軸初期位置検知センサ１９、Ｚ軸スライドレール９のＸ軸方向の限界位置を検知するためのＸ軸限界位置検知センサ２０、景品押出手段８のＹ軸方向の初期位置を検知するためのＹ軸初期位置検知センサ２１、景品押出手段８のＹ軸方向の限界位置を検知するためのＹ軸限界位置検知センサ２２、景品押出手段８のＺ軸方向の上端位置を検知するためのＺ軸上端検知センサ２３、及び景品押出手段８のＺ軸方向の下端位置を検知するためのＺ軸下端検知センサ２４を備える。
【００３１】
制御回路３０に接続される各種アクチュエータとしては、Ｚ軸スライドレール９をＸ軸スライドレール１０上を左右に移動させるＸ軸方向駆動モータ２５、景品押出手段８をＹ軸上の前後方向に移動させるＹ軸方向駆動モータ２６、景品押出手段８をＺ軸スライドレール９上を上下方向に移動させるＺ軸方向駆動モータ２７、横移動操作ボタン１４のプレイヤによる操作入力が有効となったときに点灯する横移動操作ボタンランプ１４Ｐ、上昇操作ボタン１５のプレイヤによる操作入力が有効となったときに点灯する上昇操作ボタンランプ１５Ｐ、上記ゲームカウント表示部１８、各種装飾ランプ２８、後述のクラッチブレーキ２９、後述の載置台揺動装置６０（図１２）の駆動源であるモータ６１、及び、トレイの回転角度を検出するためのロータリエンコーダ７５を備える。
【００３２】
また、制御回路３０には、コイン投入スイッチ１６Ｓからの入力信号に基づきゲーム数をカウントするゲームカウンタ３１、景品検出センサ１７Ｓからの入力信号に基づき払い出された景品の数をカウントする景品カウンタ３２、及び後述のゲームモードと設定モードの切り換えを行うゲームモード／設定モード切換スイッチ３３が接続されている。
【００３３】
図３は、景品押出手段８の移動する様子を示したものである。図３（i）は、下側の基台６ａにおける一つのトレイ５Ｒ１上に載置された景品７（この場合、鳥のおもちゃ）に向かって景品押出手段８が移動している様子を示す。
【００３４】
図３（ii）は、景品押出手段８のプッシャ８ａがトレイ５Ｒ１上に載置された景品７を上手く押すことができ、当該景品７をトレイ５Ｒ１上から落とすことができたときの様子を示している。
【００３５】
図３（iii）は、景品押出手段８のプッシャ８ａがトレイ５Ｒ１上に載置された景品７を上手く押すことができず、当該景品７をトレイ５Ｒ１上より落とすことができなかったときの様子を示している。
【００３６】
この図３（ii）及び図３（iii）に示すように、景品押出手段８のプッシャ８ａがトレイ５Ｒ１上に載置された景品７を押したとき、景品７とトレイ５Ｒ１の間に生じる摩擦力によって、そのトレイ５Ｒ１は奥側（後方向）に移動し、組となっているもう一方（左側）のトレイ５Ｌ１は手前側（前方向）に移動するような構成となっている。これは、２つのトレイ５Ｌ１，５Ｒ１が１つの第１回動板３５Ｌ１上に取り付けられた一つの載置台として構成され、一方のトレイが景品押出手段８によって動かされると、その動きに伴って他方のトレイも連動するような機構によるものである。すなわち、２つのトレイ５Ｌ１，５Ｒ１と第１回動板３５Ｌ１とで構成される載置台は、上記摩擦力によって、第１回動板３５Ｌ１の中心軸である回転軸３６（図３（ii））を中心とした回転運動を行う。
【００３７】
また、各トレイ５Ｌ１，５Ｒ１は、第１回動板３５Ｌ１上で、当該トレイ５Ｌ１，５Ｒ１の中心点５Ｃ１，５Ｃ２（図１）を中心として回転可能に支持されている。
【００３８】
また、回転軸３６の下端には第１傘歯車４７（図５）が軸着され、この第１傘歯車４７（図５）を介して、制動手段としてのクラッチブレーキ２９（図５）を取り付ける。このクラッチブレーキ２９は、摩擦力で載置台が移動させられたときの回転軸３６に加わる回転トルクに対抗する回転トルク、すなわち載置台を移動させる摩擦力に対抗する制動力を発生する。
【００３９】
本実施例では、励磁電流の増加にほぼ比例して回転トルクが増加するようなクラッチブレーキ２９を用いる。クラッチブレーキ２９には、例えば回転トルクの伝達に磁性鉄粉を用いるパウダクラッチブレーキを用いる。このクラッチブレーキ２９により回転軸３６の回転方向と逆方向に回転トルクをかけ、トレイ５Ｌ１，５Ｒ１と第１回動板３５Ｌ１とで構成される載置台の移動させる力すなわち摩擦力に対抗する制動力をかけることができる。これにより、景品７を落とし易くしたり、落とし難くするといった調節が可能となる。
【００４０】
例えば、載置台の移動に対し全く制動力をかけない場合、景品押出手段８の進行に伴って載置台が奥側に押しやられるため、景品７をトレイ５Ｌ１，５Ｒ１から落とすことが困難である。特に重い景品７の場合、景品７とトレイ５Ｌ１，５Ｒ１の間に生じる摩擦力が大きくなるため、載置台を奥側に押しやるだけで、景品７を動かすことは難しい。一方、クラッチブレーキ２９（図５）により載置台の移動に対し制動力をかける場合、その制動力の大きさによって載置台の移動が止められ、景品７を動かし易くなる。すなわち、景品７の獲得が比較的容易になる。
【００４１】
このように、トレイ５Ｌ１，５Ｒ１上に載置される景品７が同一のものであっても、制動力をかけるタイミングや駆動時間あるいは制動力の大小によって、景品７を落とし易くしたり落とし難くするといった調節が可能となる、すなわち、景品の払出率を調節することが可能となる。
【００４２】
図４及び図５は、トレイ５Ｌ１，５Ｒ１及び第１回動板３５Ｌ１で構成される載置台の構造を示す。トレイ５Ｌ１，５Ｒ１は、連動部材３７とネジ３８で連結され、この連動部材３７の回転軸である連動部材回転軸３７ａは、第１回動板３５Ｌ１の両端に形成する軸支穴３５Ｌ１’で軸支されている。これにより、連動部材３７はトレイ５Ｌ１，５Ｒ１の回転に連動して回転し、第１回動板３５Ｌ１はトレイ５Ｌ１，５Ｒ１の水平方向への移動に伴って、回転軸３６を中心とした回転を可能としている。
【００４３】
トレイ５Ｌ１，５Ｒ１の底面には、円筒形状のストッパ３９が２ケ所に取り付けられ、このストッパ３９を第１回動板３５Ｌ１の側面に当てて、トレイ５Ｌ１，５Ｒ１の回転を係止させることとしている。例えば、トレイ５Ｌ１，５Ｒ１の回転角度が最大６０度となるような角度範囲でストッパ３９が取り付けられる。
【００４４】
また、連動部材３７は、第１回動板３５Ｌ１と結合された第２回動板４０と第１バネ４１で連結されている。これは、回転したトレイ５Ｌ１，５Ｒ１を回転前の元の位置に戻すために設けられる。
【００４５】
また、第１回動板３５Ｌ１の側面には、係合部５１Ｌ１を一体形成した揺動部材５０Ｌ１が取り付けられる。この揺動部材５０Ｌ１の係合部５１Ｌ１は、図１２に示す載置台揺動装置６０の載置台揺動用回転軸６３が回転したとき、この載置台揺動用回転軸６３の外周に設けた係合片６６ａと係合するように構成されている。
【００４６】
各トレイ５Ｌ１，５Ｒ１の前面に設けられる防壁４９は、景品７がトレイ５Ｌ１，５Ｒ１の前方より落下するのを防止するために設けられる。
【００４７】
次に、図５に示すように、第２回動板４０は、中央に長楕円形状に切り抜いた開口部４０ａを形成し、第１回動板３５Ｌ１と第２回動板４０をネジ４２で結合したとき、その開口部４０ａによって、第１回動板３５Ｌ１の底面に長楕円形状の溝が形成される。軸受カバー４３で回転自在に軸支された回転軸３６の先端に長楕円形状の止部材４４を軸通し、この止部材４４を第１回動板３５Ｌ１の底面に形成された溝に嵌合することで、第２回動板４０と結合された第１回動板３５Ｌ１を回転軸３６を中心として回転自在とする。また、回転軸３６に、該回転軸３６の動作に伴い回転するカバー４５を軸着する。
【００４８】
これにより、景品押出手段８により景品７が押されたときに景品７とトレイ５Ｌ１，５Ｒ１との間に生じる摩擦力に応じて、載置台としてのトレイ５Ｌ１，５Ｒ１及び第１回動板３５Ｌ１が回転し、第１回動板３５Ｌ１の回転に応じて上記止部材４４を介して回転軸３６が回転し、さらに回転軸３６の回転に応じてカバー４５が回転する。また、図１２に示す載置台揺動用回転軸６３の外周に設けた係合片６６ａと上記係合部５１Ｌ１とが係合し第１回動板３５Ｌ１が動かされたときも、同様に、回転軸３６及びカバー４５が回転する。
【００４９】
更に、回転軸３６には、この回転軸３６の回転角度を計測するためのロータリエンコーダ７５がカップリングにより直結される。ロータリエンコーダ７５は、回転体の位置をパルス電圧で出力するものである。例えば、位置検出に磁気センサを用いた磁気式エンコーダの場合、強磁性体からなる歯車を外周に形成した回転体を備え、その歯車の磁束をホール素子でピックアップしパルス電圧を出力するように構成される。この場合、歯車の歯数で分解能（１回転あたりの出力パルス数）が決定される。このようなロータリエンコーダ７５の回転体を回転軸３６に直結することで回転軸３６の回転角度が検出される。
【００５０】
また、軸受カバー４３とカバー４５を第２バネ４６で連結する。この第２バネ４６は原点復帰機構としての役割を果たし、載置台（トレイ５Ｌ１，５Ｒ１及び第１回動板３５Ｌ１）を動かす力が無くなったとき、あるいは、図１２に示す載置台揺動用回転軸６３の外周に設けた係合片６６ａと上記係合部５１Ｌ１とが係合し、その係合状態が終了したとき、回転したカバー４５が回転前の元の位置に強制的に戻される。これにより、回転軸３６が回転前の元の位置まで戻され、載置台（トレイ５Ｌ１，５Ｒ１及び第１回動板３５Ｌ１）が元の位置に戻される。この位置が、後述の通り、原点位置となる。
【００５１】
回転軸３６の下端部には、第１傘歯車４７が軸着され、該第１傘歯車４７にクラッチブレーキ２９の軸に軸着した第２傘歯車４８と歯合させ、回転軸３６に対しクラッチブレーキ２９による回転トルクをかけることができるように構成される。
【００５２】
以上の説明では、下側の基台６ａに取り付けられた一組のトレイ５Ｌ１，５Ｒ１について説明したが、そのほかのトレイ５Ｌ２，５Ｌ３，５Ｌ４，５Ｒ２，５Ｒ３，５Ｒ４についても同様である。
【００５３】
景品取得ゲーム装置１では、上述の通り、クラッチブレーキ２９を駆動させるタイミングや駆動時間あるいは制動力の大小によって、景品７を落とし易くしたり落とし難くするといった調節が可能となることを述べたが、以下に詳細を説明する。
【００５４】
景品取得ゲーム装置１では、予め定められた払出率のうちの一つを予め選択しておき、その選択した通りの払出率で景品払出を実現するために、クラッチブレーキ２９の作動を制御する。
【００５５】
図６に示すように、払出率に応じた設定レベルが定められ、例えば、ゲーム店の店員により、いずれか一つの設定レベルが選択される。設定レベルは、６段階で、レベル６は払出率が約３０％、レベル５は払出率が約２０％、レベル４は払出率が約１５％、レベル３は払出率が約１０％、レベル２は払出率が約５％、レベル１は払出率が約３％、といった内容で設定され、設定レベルが高いほど景品獲得の難易度を低くしている。
【００５６】
この設定レベルの選択は、ゲーム操作部１３（図１）の内部に設けられた設定装置（図示省略）のゲームモード／設定モード切換スイッチ３３（図２）を「設定モード」に切り換えて行う。「設定モード」に切り換えた後、横移動操作ボタン１４（図１）及び上昇操作ボタン１５（図１）の操作により、上記設定レベルの選択を行う。このとき、選択された設定レベルはゲームカウント表示部１８（図１）に、例えば「Ｌｖ１，Ｌｖ２…」といった態様で表示される。
【００５７】
図７は、クラッチブレーキ２９の作動パターンを「難易度ランク」別に示し、それぞれの作動パターンには、払出率の目安が定められている。「難易度ランク」とは、景品７を落とすことが容易かどうかの難易度を示すものである。クラッチブレーキ２９が作動し載置台を移動させる力に対抗する制動力がかけられ、載置台の奥側への移動を制止することができれば、トレイ５Ｌ１，５Ｌ２，５Ｌ３，５Ｌ４，５Ｒ１，５Ｒ２，５Ｒ３，５Ｒ４上の景品７を落とすことのできる可能性が高くなる。従って、制動力のかかる回数が多い場合や、制動力のかかる時間が長い場合などは、景品７を落とすことのできる可能性が高くなるため、そのような作動パターンは、上記難易度ランクが低くなっている。すなわち、クラッチブレーキ２９を作動させるタイミング、作動時間の長さ、制動力の強さを変化させることで、景品７を落とすことのできる困難性を調整することができるようになっている。
【００５８】
これらクラッチブレーキ２９の作動パターンは、景品取得ゲーム装置１の電源投入時において、上記設定レベルに応じた難易度ランクのものが選択される。電源投入時に、設定レベルが「レベル６」，「レベル５」の場合、払出率はそれぞれ約３０％，約２０％であるので、クラッチブレーキ２９の作動パターンとしては払出率の目安が「２０〜４０％」の難易度ランク“Ｃ（普通）”が選択され、設定レベルが「レベル４」，「レベル３」，「レベル２」の場合、払出率はそれぞれ約１５％，１０％，５％であるので、クラッチブレーキ２９の作動パターンとしては払出率の目安が「５〜２０％」の難易度ランク“Ｂ（やや高）”が選択され、設定レベルが「レベル１」の場合、払出率が約３％であるので、クラッチブレーキ２９の作動パターンとしては払出率の目安が「０〜５％」の難易度ランク“Ａ（高）”が選択される。
【００５９】
例えば、設定レベルとして「レベル６」又は「レベル５」が選択された場合、図７の難易度ランク“Ｃ（普通）”に示す作動パターンでクラッチブレーキ２９の作動が制御される。しかしながら、難易度ランク“Ｃ（普通）”に設定された払出率の目安である２０％〜４０％には必ずしも収まるとは限らないので、実際の払出率を監視しながら難易度ランクを切り換えて、設定レベルが「レベル６」の場合は約３０％に、設定レベルが「レベル５」の場合は約２０％に実際の払出率が落ち着くようにする。
【００６０】
その具体的な例として、最初の１０ゲームを初期設定である難易度ランク“Ｃ（普通）”の作動パターンでクラッチブレーキ２９の作動を制御し、ゲームを実行する。ここで、この１０ゲームの間、プレイヤが景品を１個しか取れなかった場合、すなわち、実際の払出率が１０％の場合、次の１０ゲームにおけるクラッチブレーキ２９の作動パターンを難易度ランク“Ｄ（やや低）”とし、プレイヤに景品を取れ易くする。そして、１０ゲームが終了した時点（計２０ゲーム）で、再び実際の払出率を参照し、その払出率に応じて難易度ランクの切換を行うようにする。このようにして、所望の払出率に収まるようにする。
【００６１】
なお、払出率を判断するゲーム数（判断に用いる母数）は、ここでは１０ゲームとしているが、任意に設定できるようにし、例えば、設定された難易度ランクに応じてゲーム数を変化させるようにししてもよい。
【００６２】
図７に示すクラッチブレーキ２９の作動パターンは、Ｘ軸に景品押出手段８の移動時間［ｓ］、Ｙ軸に制動力の大きさ（クラッチブレーキ２９の出力トルク）［Ｎ・ｍ］を示している。ここで景品押出手段８の移動時間とは、景品押出手段８がゲーム空間の奥側に向けての移動を開始してから完了するまでの時間である。
【００６３】
従って、Ｘ軸に示した「ＭＡＸ」とは、景品押出手段８がゲーム空間の奥側に向けての移動を完了したときを示しており、Ｙ軸に示した「ＭＡＸ」とは、クラッチブレーキ２９がかけることのできる最大制動力、すなわちクラッチブレーキ２９が出力することのできる最大トルクを示している。
【００６４】
難易度ランクが“Ａ（高）”の場合のクラッチブレーキ２９の作動パターンは、クラッチブレーキ２９を全く作動させず制動力をかけない場合である。この場合、景品押出手段８で景品７を押しても、景品７とトレイ５Ｌ１，５Ｌ２，５Ｌ３，５Ｌ４，５Ｒ１，５Ｒ２，５Ｒ３，５Ｒ４の間の摩擦力で載置台が奥側に押しやられ、景品７を落とすことは難しい。なお、景品７の選定に際しては、この難易度ランクが“Ａ（高）”の場合において、ほぼ１００％の確率で落とすことができないような重さのものを選定することが望ましい。
【００６５】
難易度ランクが“Ｂ（やや高）”の場合のクラッチブレーキ２９の作動パターンは、景品押出手段８の移動時間がｔ２のときにクラッチブレーキ２９の作動を開始させ、景品押出手段８の移動時間に比例するように伝達トルクを増加させ、ｔ３のときに最大トルクとした後、景品押出手段８の移動時間に反比例するように伝達トルクを減少させ、ｔ４のときにクラッチブレーキ２９の作動を停止させる。この場合、全く制動力のかからない難易度ランク“Ａ（高）”の作動パターンに比べ景品取得の可能性は高く、特に、制動力が最大となるｔ３のときに、景品７を落とすチャンスが高くなるが、最大制動力のかかる時間が一瞬でかつ一回だけなので、景品取得の可能性が高いとは言い難い。特に、景品７が重い物のときは、それを落とすことは難しい。
【００６６】
難易度ランクが“Ｃ（普通）”の場合のクラッチブレーキ２９の作動パターンは、景品押出手段８の移動時間がｔ２のときにクラッチブレーキ２９の作動を開始させ、景品押出手段８の移動時間に比例するように伝達トルクを増加させ、ｔ３のときに最大トルクとして当該トルクでｔ４まで継続して制動力をかけ続け、その後、景品押出手段８の移動時間に反比例するように伝達トルクを減少させ、ｔ５のときにクラッチブレーキ２９の作動を停止させる。この場合、制動力が最大となる時間がｔ３〜ｔ４であるため、制動力が最大となる時間が一瞬の難易度ランク“Ｂ（やや高）”の作動パターンに比べ景品取得の可能性は高くなる。
【００６７】
難易度ランクが“Ｄ（やや低）”の場合のクラッチブレーキ２９の作動パターンは、景品押出手段８の移動時間がｔ１のときにクラッチブレーキ２９の作動を開始させ、景品押出手段８の移動時間に比例するように伝達トルクを増加させ、ｔ２のときに最大トルクとして当該トルクでｔ４まで継続して制動力をかけ続け、その後、景品押出手段８の移動時間に反比例するように伝達トルクを減少させ、ｔ５のときにクラッチブレーキ２９の作動を停止させる。この場合、制動力が最大となる時間がｔ２〜ｔ４であるため、制動力が最大となる時間がｔ３〜ｔ４の難易度ランク“Ｃ（普通）”の作動パターンに比べ景品取得の可能性は高くなる。
【００６８】
難易度ランクが“Ｅ（低）”の場合のクラッチブレーキ２９の作動パターンは、景品押出手段８の移動開始と同時にクラッチブレーキ２９の作動を開始させ、景品押出手段８の移動時間に比例するように伝達トルクを増加させ、ｔ１のときに最大トルクとして当該トルクでｔ２まで継続して制動力をかけ続け、その後、景品押出手段８の移動時間に反比例するように伝達トルクを０まで減少させ、ｔ３で再び景品押出手段８の移動時間に比例するように伝達トルクを増加させ、ｔ４のときに最大トルクとして当該トルクでｔ５まで継続して制動力をかけ続け、その後、景品押出手段８の移動時間に反比例するように伝達トルクを減少させ、ｔ６（ＭＡＸ）のときにクラッチブレーキ２９の作動を停止させる。すなわち、制動力が最大となる時間がｔ１〜ｔ２及びｔ４〜ｔ５でと２回に分けられている。この場合、一回制動力を緩めた後再び制動力をかけるため、その再び制動力をかける瞬間、景品７とトレイ５Ｌ１，５Ｌ２，５Ｌ３，５Ｌ４，５Ｒ１，５Ｒ２，５Ｒ３，５Ｒ４の間の摩擦力が発生する前に景品に衝撃力がかかり、景品が落としやすくなる。この作動パターンであれば、比較的重い景品であっても落とすことのできる可能性が高くなる。
【００６９】
なお、クラッチブレーキ２９の作動パターンは以上のパターンに限らない。例えば、制動力がかかっていることをプレイヤに気付かれないような自然な動きとするために、景品押出手段８の移動時間経過に伴う制動力の増加量を少なくしたり（この場合、景品押出手段８の移動速度を遅くする）、景品７を落としにくいように景品押出手段８の移動時間の終わり付近で制動力をかけるようにするなど、様々なパターンが考えられる。
【００７０】
図８は、クラッチブレーキ２９を作動させたとき（ブレーキ作動時）と作動させないとき（ブレーキ未作動時）における、載置台（ここでは５Ｌ１，５Ｒ１および第１回動板３５Ｌ１で構成される載置台）の動きを示した概略図である。
【００７１】
図８（ａ）は、プッシャ８ａが左側のトレイ５Ｌ１上の景品７に当接したときの様子を示し、その後、景品押出手段８が前進すると、景品７とトレイ５Ｌ１の間に摩擦力が生じ、載置台が時計方向に回転し、左側のトレイ５Ｌ１が奥側に押しやられる。
【００７２】
図８（ｂ）は、載置台の時計方向への回転動作が制動力によって止められたときの様子を示す。この場合、載置台が制動力によって固定されるため、景品７を押す景品押出手段８の力が摩擦力を上回れば、景品７はトレイ５Ｌ１上を奥側に移動する。従って、このように、ブレーキ作動を継続し載置台の位置が固定された状態が継続すると、トレイ５Ｌ１上から景品７を落とすことが可能となる。
【００７３】
図８（ｃ）は、載置台に対し制動力かかっていないときの様子を示す。この場合、載置台が景品押出手段８の進行に伴い時計方向に回転するため、景品７はトレイ５Ｌ１上をほとんど移動することはない。従って、トレイ５Ｌ１上から景品７を落とすことは困難である。
【００７４】
また、本ゲーム装置では、予め設定したゲーム数分、プレイヤにとって有利な状態でゲームが行える「アシストゲーム状態」を設ける。この「アシストゲーム状態」中にゲームを行うと、プレイヤは簡単に景品を獲得することができる。例えば、この「アシストゲーム状態」中では、クラッチブレーキ２９を難易度の低い作動パターン（例えば、難易度ランク“Ｄ”）で作動させるようにし、プレイヤが景品を取れ易い状態とする。
【００７５】
次に、制御回路３０が実行する処理について図９〜図１１のフローチャートを参照して説明する。
【００７６】
図９に示すように、景品取得ゲーム装置１の電源がＯＮ（ＳＴ１）されると、払出率の設定に基づきクラッチブレーキ２９の作動パターンをセットし（ＳＴ２）、ゲームカウンタ３１を０にリセットし（ＳＴ３）、景品カウンタ３２を０にリセットする（ＳＴ４）。
【００７７】
次にゲームカウンタ３１を参照し、カウント値（ゲームカウント値）が１０Ｎ（Ｎ＝１，２，３，…）のときは（ＳＴ５で“ＹＥＳ”）、ＳＴ６に移り、１０Ｎでないときは（ＳＴ５で“ＮＯ”）、ＳＴ１１に移る。ＳＴ６では、実際に景品が払い出された払出率（以下「実払出率」という）を算出する。実払出率は、行われたゲーム数のうち景品が払い出されたゲーム数を示す割合で、景品カウンタのカウント値（景品カウント値）をゲームカウント値で割ったときの数値で示される。
【００７８】
ＳＴ６で求めた実払出率が設定した払出率（設定払出率）を超えているとき（ＳＴ７で“ＹＥＳ”）、難易度の１ランク高いクラッチブレーキ２９の作動パターンをセットする（ＳＴ８）。例えば、難易度ランクＥのクラッチブレーキ２９の作動パターンがセットされている場合において、このＳＴ７の処理で“ＹＥＳ”のときは、難易度ランクＤのクラッチブレーキ２９の作動パターンがセットされる。ここで、「実払出率が設定払出率を超えているとき」とは、ゲーム店が予定していた以上に景品が払い出されている場合であり、クラッチブレーキ２９の作動パターンの難易度ランクを１ランク上げることで、実払出率を設定払出率に近づけることとしたものである。
【００７９】
一方、ＳＴ６で求めた実払出率が設定払出率より小さいとき（ＳＴ９で“ＹＥＳ”）、難易度の１ランク低いクラッチブレーキ２９の作動パターンをセットする（ＳＴ１０）。例えば、難易度ランクＡのクラッチブレーキ２９の作動パターンがセットされている場合は、このＳＴ９の処理で“ＹＥＳ”のときは、難易度ランクＢのクラッチブレーキ２９の作動パターンがセットされる。ここで、実払出率が設定払出率より小さいときとは、ゲーム店が予定していた払出率に達していないときで、クラッチブレーキ２９の作動パターンの難易度ランクを１ランク下げることで、実払出率を設定払出率に近づけることとしたものである。
【００８０】
なお、払出率を一定に保つために、軽い物品を景品７とするときは、景品７とトレイ５Ｌ１，５Ｌ２，５Ｌ３，５Ｌ４，５Ｒ１，５Ｒ２，５Ｒ３，５Ｒ４の間に生じる摩擦力を高めるためにトレイ５Ｌ１，５Ｌ２，５Ｌ３，５Ｌ４，５Ｒ１，５Ｒ２，５Ｒ３，５Ｒ４の上面にゴム製のマットを敷くようにする。また、不安定な形状の物品を景品７とするときは、その景品７を安定した形状の透明カプセル等に入れてトレイ５Ｌ１，５Ｌ２，５Ｌ３，５Ｌ４，５Ｒ１，５Ｒ２，５Ｒ３，５Ｒ４上に載置するようにする。
【００８１】
ＳＴ１１では、「ゲーム制御処理」を実行し、続いて、景品が景品押出手段８により落とされ、景品検出センサ１７Ｓが景品を検出したかどうか判別し（ＳＴ１２）、景品を検出したときは（ＳＴ１２で“ＹＥＳ”）、景品カウンタ３２に“１”加算する。
【００８２】
図１０に示すように、まず、コインの投入があるか、すなわちコイン投入スイッチ１６Ｓからの入力信号があるかどうか判別し（ＳＴ２０）、ここで“ＹＥＳ”のときは、コインの投入数に応じてゲームカウンタのカウント値を加算する（ＳＴ２１）。上昇操作ボタンランプ１５Ｐを点滅させ（ＳＴ２２）、上昇操作ボタン１５がＯＮされたかどうか、すなわち上昇操作ボタン１５がプレイヤにより押されたかどうか判別する（ＳＴ２３）。ここで“ＹＥＳ”のときは、景品押出手段８の上昇を開始させる（ＳＴ２４）。すなわち、Ｚ軸方向駆動モータ２７を駆動させ、景品押出手段８をＺ軸の上方向へ移動させる。
【００８３】
上昇操作ボタン１５がＯＦＦされたかどうか、すなわちプレイヤにより押されていた上昇操作ボタン１５が解放されたかどうか判別し（ＳＴ２５）、ここで“ＹＥＳ”のときは、景品押出手段８の上昇を停止させる（ＳＴ２７）。すなわち、Ｚ軸方向駆動モータ２７の駆動を停止させる。ＳＴ２５で“ＮＯ”であっても、景品押出手段８がＺ軸の上端に到達し、Ｚ軸上端検知センサ２３がＯＮとなったときは（ＳＴ２６で“ＹＥＳ”）、景品押出手段８の上昇を停止させる（ＳＴ２７）。
【００８４】
続いて、横移動操作ボタンランプ１４Ｐを点滅させる（ＳＴ２８）。続いて、横移動操作ボタン１４がＯＮされたかどうか、すなわち横移動操作ボタン１４がプレイヤにより押されたかどうか判別し（ＳＴ２９）、ここで“ＹＥＳ”のときは、景品押出手段８の取り付けられたＺ軸スライドレール９の横移動を開始させる（ＳＴ３０）。すなわち、Ｘ軸方向駆動モータ２５を駆動させ、Ｚ軸スライドレール９をＸ軸の右方向へ移動させる。
【００８５】
横移動操作ボタン１４がＯＦＦされたかどうか、すなわちプレイヤにより押されていた横移動操作ボタン１４が解放されたかどうか判別し（ＳＴ３１）、ここで“ＹＥＳ”のときは、Ｘ軸方向駆動モータ２５の駆動を停止させ、Ｚ軸スライドレール９の横移動を停止させる（ＳＴ３３）。ＳＴ３１で“ＮＯ”であっても、Ｚ軸スライドレール９がＸ軸の限界位置に到達し、Ｘ軸限界位置検知センサ２０がＯＮとなったときは（ＳＴ３２で“ＹＥＳ”）、Ｚ軸スライドレール９の横移動を停止させる（ＳＴ３３）。
【００８６】
次に図１１に移り、Ｙ軸方向駆動モータ２６を駆動させ、景品押出手段８のゲーム空間の奥側への移動（前進）を開始させ（ＳＴ３４）、続いて、セットされたクラッチブレーキ２９の作動パターンに基づきクラッチブレーキ２９を作動させる（ＳＴ３５）。
【００８７】
景品押出手段８がＹ軸の限界位置に到達し、Ｙ軸限界位置検知センサ２２がＯＮとなったときは（ＳＴ３６で“ＹＥＳ”）、景品押出手段８をＹ軸の初期位置に戻すように手前に移動（後退）させる（ＳＴ３７）。Ｙ軸初期位置検知センサ２１がＯＮとなり、景品押出手段８が初期位置に戻ったことを確認すれば（ＳＴ３８で“ＹＥＳ”）、続いて、Ｚ軸スライドレール９をＸ軸の初期位置に戻すように左側に横移動させる（ＳＴ３９）。Ｘ軸初期位置検知センサ１９がＯＮとなり、Ｚ軸スライドレール９が初期位置に戻ったことを確認すれば（ＳＴ４０で“ＹＥＳ”）、続いて、景品押出手段８をＺ軸の下端に戻すように下降させる（ＳＴ４１）。Ｚ軸下端検知センサ２４がＯＮとなり、景品押出手段８がＺ軸の下端に戻ったことを確認すれば（ＳＴ４２で“ＹＥＳ”）、１ゲーム終了となる。
【００８８】
なお、景品押出手段８のＹ軸方向への移動開始から終了までを、上記のようなセンサ（Ｙ軸限界位置検知センサ２２，Ｙ軸初期位置検知センサ２１）の検知によって判断するのではなく、時間（秒数）で判断するようにしてもよい。
【００８９】
次に、本ゲーム装置で行うデモ演出について、以下に説明する。
【００９０】
図１２は、載置台揺動装置６０の構造を示す。載置台揺動装置６０は、基台６ａ，６ｂの中央の後方位置に設置される。載置台揺動装置６０は、載置台揺動基台６２と、該載置台揺動基台６２に回転自在に軸支された載置台揺動用回転軸６３と、該載置台揺動用回転軸６３を回転させるための載置台揺動装置駆動用モータ６１とを備える。
【００９１】
載置台揺動装置駆動用モータ６１の回転は、その出力軸に軸着されたピニオン６４と、載置台揺動用回転軸６３の先端に取り付けられる歯車との噛合いによって、載置台揺動用回転軸６３に伝達される。
【００９２】
載置台揺動用回転軸６３の外周には、当該載置台揺動用回転軸６３が回転したとき、載置台に取り付けた揺動部材５０Ｌ１，５０Ｒ１，５０Ｌ２，５０Ｒ２を揺動させるための係合片６６ａ，６６ｂが上下２カ所に取り付けられる。この係合片６６ａ，６６ｂは、半楕円形状に形成され、上記揺動部材５０Ｌ１，５０Ｒ１，５０Ｌ２，５０Ｒ２の係合部５１Ｌ１，５１Ｒ１，５１Ｌ２，５１Ｒ２と係合するような位置に取り付けられる。係合片６６ａ，６６ｂは、載置台揺動用回転軸６３の回転動作に伴って移動するため、その軌道上に係合部５１Ｌ１，５１Ｒ１，５１Ｌ２，５１Ｒ２が置かれる。
【００９３】
図１３は、図１２のXIII−XIII断面を上方から見た断面図である。この図に示すように、係合部５１Ｌ２，５１Ｒ２は、載置台揺動用回転軸６３の回転動作に伴い移動する係合片６６ｂの回転軌道７３上に置かれる。載置台揺動用回転軸６３が時計方向に回転した場合、係合片６６ｂは回転軌道７３を時計方向に移動するため、その回転軌道７３上に置かれた右側の係合部５１Ｒ２は前方（Ｙ軸の負方向）に、左側の係合部５１Ｌ２は後方（Ｙ軸の正方向）に、それぞれ押しやられる。
【００９４】
これにより、揺動部材５０Ｌ２，５０Ｒ２は反時計方向に回転し、これに連結された第１回動板３５Ｌ２，３５Ｒ２も連動して反時計方向に回転する。すなわち、載置台が反時計方向に回転する。一方、載置台揺動用回転軸６３が反時計方向に回転した場合は、係合片６６ｂは回転軌道７３を反時計方向に移動するため、左側の係合部５１Ｌ２は前方（Ｙ軸の負方向）に、右側の係合部５１Ｒ２は後方（Ｙ軸の正方向）に、それぞれ押しやられる。これにより、揺動部材５０Ｌ２，５０Ｒ２は時計方向に回転し、これに連結された第１回動板３５Ｌ２，３５Ｒ２も連動して時計方向に回転する。すなわち、載置台が時計方向に回転する。
【００９５】
載置台揺動装置６０の実際の動作について、図１４〜図１７を参照して説明する。
【００９６】
図１４は、載置台揺動用回転軸６３が時計方向に回転し、係合片６６ｂが係合部５１Ｒ２に当接したときの状態を示す。このときは、まだ、載置台は静止したままである。
【００９７】
図１５は、載置台揺動用回転軸６３が図１４に示した状態よりさらに回転し、係合片６６ｂが右側に位置する係合部５１Ｒ２を押しながら移動しているときの状態を示す。このとき、右側の第１回動板３５Ｒ２は、係合部５１Ｒ２の動きに連動して反時計方向に回転している。この右側の第１回動板３５Ｒ２の動きに伴い、５Ｒ３，５Ｒ４の位置も移動している。すなわち、載置台が反時計方向に回転している。
【００９８】
図１６は、載置台揺動用回転軸６３が図１５に示した状態よりさらに回転し、係合片６６ｂが左側に位置する係合部５１Ｌ２を押しながら移動しているときの状態を示す。このとき、左側の第１回動板３５Ｌ２は、係合部５１Ｌ２の動きに連動して反時計方向に回転し、この左側の第１回動板３５Ｌ２の動きに伴い、トレイ５Ｌ３，５Ｒ３の位置が移動している。すなわち、載置台が反時計方向に回転している。このとき、右側に位置する係合部５１Ｒ２は、上記第２バネ４６により、移動前の元の位置（原点位置）に戻されている。
【００９９】
図１７は、基台６ｂ上のトレイ５Ｌ３，５Ｒ３，５Ｌ４，５Ｒ４上に景品７ａ〜７ｄを載置し、上記載置台揺動装置６０（図１２）によるデモ演出が行われたときの動作を示す。
【０１００】
図１７（Ａ）は、デモ演出が行われていない静止状態を示す。
【０１０１】
図１７（Ｂ）は、デモ演出が開始し、ここでは、載置台揺動用回転軸６３の回転により右側の第１回動板３５Ｒ２が反時計方向に回転したときの状態を示す。右側の第１回動板３５Ｒ２の回転に伴い、トレイ５Ｌ４，５Ｒ４が反時計方向に回転、すなわち右側の載置台が反時計方向に回転し、図１７（Ａ）に示した静止状態と比較して、トレイ５Ｌ４上の景品７ｃが前方に、トレイ５Ｒ４上の景品７ｄが後方に移動している。
【０１０２】
図１７（Ｃ）は、図１７（Ｂ）の状態よりさらに載置台揺動用回転軸６３が回転し、左側の第１回動板３５Ｌ２が反時計方向に回転したときの状態を示す。左側の第１回動板３５Ｌ２の回転に伴い、トレイ５Ｌ３，５Ｒ３が反時計方向に回転、、すなわち左側の載置台が反時計方向に回転し、図１７（Ａ）に示した静止状態と比較して、トレイ５Ｌ３上の景品７ａが前方に、トレイ５Ｒ３上の景品７ｂが後方に移動している。
【０１０３】
このようなデモ演出は、ゲームが行われていない所定期間に行われる。具体的には、ゲームが終了した後の所定時間経過後に開始し、プレイヤによるコイン投入によってコイン投入スイッチ１６Ｓからの信号入力があったとき、すなわち「ゲーム開始指令」が出されたときに終了する。
【０１０４】
このようなデモ演出を行うことで、ゲームを行っていないプレイヤに対し、トレイ５Ｌ１，５Ｌ２，５Ｌ３，５Ｌ４，５Ｒ１，５Ｒ２，５Ｒ３，５Ｒ４上の景品に注目させることができ、また、ゲーム装置そのものに興味を抱かせることができる。また、デモ演出自体に面白みを持たせることができる。
【０１０５】
また、本ゲーム装置１において、上記の設定レベルの選択を含む各種の設定を行うため、液晶表示装置、ＣＲＴ等の表示装置を筐体２に設け、その表示画面を利用して設定操作を行えるようにしてもよい。この設定操作に応じた各種の設定は、設定手段としての機能を有する制御回路３０において実行される。
【０１０６】
図１８〜図２４に、その表示装置を用いて設定操作を行う場合の具体例を示す。
【０１０７】
図１８は、各種の設定を行うために設けた画面７０に表示される「初期メニュー」を示す。この「初期メニュー」は、上記ゲームモード／設定モード切換スイッチ３３を「設定モード」に切り換えたときに表示される。この「初期メニュー」では、「１．設定」、「２．データ表示」、「３．テスト」、「４．アシスト」及び「５．その他」の５つの選択項目が表示される。
【０１０８】
この「初期メニュー」において、横移動操作ボタン１４の操作によりカーソル７１を移動させ、上昇操作ボタン１５の操作により一つの選択項目が選択される。その後、カーソル７１が「決定」項目に移動し、上昇操作ボタン１５の操作を行うと、続いて、選択した項目に応じたメニューを画面７０に表示する。
【０１０９】
図１９（１）は、上記「初期メニュー」において、「１．設定」が選択されたときに表示される「設定メインメニュー」を示す。この「設定メインメニュー」では、「１．ペイアウト設定」、「２．サウンド設定」、「３．料金設定」、及び「４．時間設定」の４つの選択項目が表示される。
【０１１０】
この「設定メインメニュー」において、上記「初期メニュー」と同様の操作により一つの選択項目を選択すれば、カーソル７１が移動し、「Ａ：決定」又は「Ｂ：戻る」のいずれかが横移動操作ボタン１４により選択可能な状態となる。そして、「Ａ：決定」が選択された状態で上昇操作ボタン１５を操作すると、その選択項目に応じたメニューを画面７０に表示し、「Ｂ：戻る」が選択された状態で上昇操作ボタン１５を操作すると、上記「初期メニュー」を画面７０に再び表示する。
【０１１１】
図１９（２）は、上記「設定メインメニュー」において、「１．ペイアウト設定」が選択されたときに表示される「ペイアウト設定メインメニュー」を示す。この「ペイアウト設定メインメニュー」では、「１．チャンスアップ設定」及び「２．固定設定」の２つの選択項目が表示される。
【０１１２】
「ペイアウト設定メインメニュー」では、上記「設定メインメニュー」と同様の操作により項目の選択がなされ、「１．チャンスアップ設定」が選択された場合は、その後、払出率に応じて定めたレベルを選択する後述の「レベル選択メニュー」が表示され、ここで選択されたレベルを基に、実払出率に応じたクラッチブレーキ２９の作動パターンの難易度調整がゲーム中実行される。一方、「ペイアウト設定メインメニュー」で「２．固定設定」が選択された場合は、その後、クラッチブレーキ２９の作動パターンの難易度（とれやすさレベル）を選択する後述の「とれやすさレベル選択メニュー」が表示され、ここで選択された難易度のクラッチブレーキ２９の作動パターンでゲームが実行される。すなわち、「２．固定設定」が選択された場合は、クラッチブレーキ２９の作動パターンの難易度調整は行われず、当該難易度を固定した状態でゲームが実行される。
【０１１３】
図１９（３）は、上記「設定メインメニュー」において、「２．サウンド設定」が選択されたときに表示される「サウンド設定メニュー」を示す。この「サウンド設定メニュー」では、ゲーム中或いはデモ演出中におけるＢＧＭや効果音が選択でき、ここでは、これらの音の種類を示す「１．サウンド１」〜「７．サウンド７」及び「８．サウンドなし」の８つの選択項目が表示される。
【０１１４】
図１９（４）は、上記「設定メインメニュー」において、「３．料金設定」が選択されたときに表示される「料金設定メニュー」を示す。この「料金設定メニュー」では、サービスプレイのＯＮ／ＯＦＦの切換及びサービスプレイの設定変更が行える。
【０１１５】
図１９（５）は、上記「設定メインメニュー」において、「４．時間設定」が選択されたときに表示される「時間設定メニュー」を示す。この「時間設定メニュー」では、現在の日付及び時間の設定が行える。
【０１１６】
図２０は、「ペイアウト設定メインメニュー」で「１．チャンスアップ設定」或いは「２．固定設定」のいずれかが選択された後の画面７０での表示内容の流れを示す。
【０１１７】
まず、画面７０には、図２０（１１）に示す「個別／全体選択メニュー」が表示される。これは、「１．チャンスアップ設定」或いは「２．固定設定」のいずれが選択された場合であっても表示される。ここで、「１．個別設定」が選択されたときは、各トレイ毎にレベル或いはとれやすさレベルの選択が行える。一方、「２．全体設定」が選択されたときは、全トレイについて均一に定めるレベル或いはとれやすさレベルの選択が行える。
【０１１８】
「１．個別設定」が選択されたときは、続いて、図２０（１２）に示すような「景品情報」が画面７０に表示される。この「景品情報」では、各トレイ毎に設定されているレベル或いはとれやすさレベルが参照できる。また、この景品情報では、トレイ上に載置されている景品の外観を含む景品についての情報が表示される。「景品情報」を表示した後、各トレイについてのレベルが選択できる図２０（１３）に示す「レベル選択メニュー」或いはとれやすさレベルが選択できる図２０（１４）に示す「とれやすさレベル選択メニュー」が表示される。
【０１１９】
「２．全体設定」が選択されたときは、図２０（１２）に示すような「景品情報」を表示することなく、「レベル選択メニュー」或いは「とれやすさレベル選択メニュー」が表示される。
【０１２０】
図２０（１３）に示す「レベル選択メニュー」は、上述の通り、「ペイアウト設定メインメニュー」で「１．チャンスアップ設定」が選択されたときに表示され、ここでは、実払出率に応じたクラッチブレーキ２９の作動パターンの難易度調整の基となるレベルの選択が行え、ここに示す“１〜６”は図６に示す“設定レベル１〜６”を示している。
【０１２１】
図２０（１４）に示す「とれやすさレベル選択メニュー」は、上述の通り、「ペイアウト設定メインメニュー」で「１．固定設定」が選択されたときに表示され、ここでは、クラッチブレーキ２９の作動パターンの難易度を示すとれやすさレベルの選択が行え、ここに示す“Ａ〜Ｅ”は図７に示す“難易度ランクＡ〜Ｅ”を示している。
【０１２２】
図２１（２１）は、上記「初期メニュー」において、「２．データ表示」が選択されたときに表示される「データ表示メニュー」を示す。この「データ表示メニュー」では、「１．個別」及び「２．全体」の２つの選択項目が表示される。ここで、「１．個別」が選択されたときは、各トレイ毎の各種データが表示され、「２．全体」が選択されたときは、ゲーム装置全体の各種データが表示される。
【０１２３】
表示されるデータは、図２１（２２）に示すように、投入された金額を示す「インカム」、「プレイ回数」、景品を払い出した数を示す「払出数」、プレイ回数に対する払出数の割合を示す「払出率」が表示される。これらのデータは、時間毎或いは日にち毎に表示可能である。
【０１２４】
図２２（３１）は、上記「初期メニュー」において、「３．テスト」が選択されたときに表示される「テストメインメニュー」を示す。この「テストメインメニュー」では、「１．７セグＬＥＤテスト」、「２．サウンドテスト」、「３．スイッチ入力テスト」及び「４．センサテスト」の４つの選択項目が表示される。
【０１２５】
この「テストメインメニュー」において、「１．７セグＬＥＤテスト」が選択されたときは、７セグメントＬＥＤで構成される上記ゲームカウント表示部１８及びサービスプレイ表示部７２の表示機能が正常に作動するかどうかのテストが実行され、「２．サウンドテスト」が選択されたときは、正常にサウンド出力が行われるかどうかのテストが実行される。
【０１２６】
「テストメインメニュー」において、「３．スイッチ入力テスト」が選択されたときは、続いて、図２２（３２）に示すような「スイッチ入力テストメニュー」が表示される。「スイッチ入力テストメニュー」では、横移動操作スイッチ１４Ｓの動作テストを実行する「１．横移動操作スイッチ」、上昇操作スイッチ１５Ｓの動作テストを実行する「２．上昇操作スイッチ」、コインの投入なしで１プレイ分の動作を可能とするサービススイッチの動作テストを実行する「３．サービススイッチ」、コイン投入スイッチ１６Ｓの動作テストを実行する「４．コイン投入スイッチ」、景品検出センサ１７Ｓの動作テストを実行する「５．景品検出センサ」及びドアセンサ２Ｓの動作テストを実行する「６．ドアセンサ」の４つの選択項目が表示される。この「スイッチ入力テストメニュー」でいずれかの項目が選択されると、その項目に応じたスイッチ，センサについて、正常に作動するかどうかのテストが実行される。
【０１２７】
「テストメインメニュー」において、「４．センサテスト」が選択されたときは、続いて、図２２（３３）に示すような「センサテストメニュー」が表示される。「センサテストメニュー」では、「１．オートテスト」及び「２．マニュアルテスト」の２つ選択項目が表示される。
【０１２８】
この「センサテストメニュー」において、「１．オートテスト」が選択されたときは、Ｘ軸初期位置検知センサ１９、Ｘ軸限界位置検知センサ２０、Ｙ軸初期位置検知センサ２１、Ｙ軸限界位置検知センサ２２、Ｚ軸上端検知センサ２３、及びＺ軸下端検知センサ２４の各々について正常に動作するかどうかのテストが自動的に実行される。
【０１２９】
一方、「センサテストメニュー」において、「１．マニュアルテスト」が選択されたときは、続いて、図２２（３４）に示すような「マニュアルテストメニュー」が表示される。この「マニュアルテストメニュー」では、「１．左右移動」「２．上下移動」及び「３．奥行き移動」の３つ選択項目が表示される。
【０１３０】
「１．左右移動」が選択されたときは、Ｚ軸スライドレール９を左右に駆動させ、Ｘ軸初期位置検知センサ１９及びＸ軸限界位置検知センサ２０の動作テストが実行される。「２．上下移動」が選択されたときは、景品押出手段８を上下に駆動させ、Ｚ軸上端検知センサ２３及びＺ軸下端検知センサ２４の動作テストが実行される。「３．奥行き移動」が選択されたときは、景品押出手段８をＹ軸方向に駆動させ、Ｙ軸初期位置検知センサ２１及びＹ軸限界位置検知センサ２２の動作テストが実行される。
【０１３１】
図２３は、上記「初期メニュー」において、「４．アシスト」が選択されたときに表示される「アシストメニュー」を示す。この「アシストメニュー」では、上述のアシストゲーム状態とするゲーム数を１〜９ゲームの間で設定することができる。
【０１３２】
図２４（４１）は、上記「初期メニュー」において、「５．その他」が選択されたときに表示される「その他メニュー」を示す。この「その他メニュー」では、「１．アドバタイズ」及び「２．初期化」の２つの選択項目が表示される。
【０１３３】
この「その他メニュー」において、「１．アドバタイズ」が選択されたときは、図２４（４２）に示すような「アドバタイズメニュー」が表示される。この「アドバタイズメニュー」では、載置台揺動装置６０によるデモ演出を行うかどうかの選択が行える。ここで、“ＯＮ”を選択したときに当該デモ演出が実行される。
【０１３４】
一方、「２．初期化」が選択されたときは、上記の「インカム」、「プレイ回数」、「払出率」等の各種データがリセットされる。
【０１３５】
以上のような設定を、表示画面を備えたノートパソコン，携帯電話機，ＰＤＡ，携帯ゲーム機等の携帯端末装置を景品取得ゲーム装置１に接続して、該携帯端末装置の画面上で各種設定を行えるようにしてもよい。この場合、携帯端末装置を景品取得ゲーム装置１に固定できるような構成としてもよい。
【０１３６】
次に、上記クラッチブレーキ２９（図５）の制動力調整を行う「制動力調整処理」について説明する。本ゲーム装置１では、クラッチブレーキ２９の精度調整を行う制動力調整処理が定期的に実行される。この制動力調整処理は、制動力調整手段としての機能を有する制御回路３０において行われる。この制動力調整処理を行うのは、クラッチブレーキ２９は、その個体差や経年変化により動作精度にずれが生じるためである。
【０１３７】
このクラッチブレーキ２９の制動力調整処理は、上記載置台揺動装置６０を利用して行われる。
【０１３８】
図２５は、クラッチブレーキ２９の制動力調整処理の手順を示すフローチャートである。ここでは、上側の基台６ｂ上の右側の第１回動板３５Ｒ２に連結されるクラッチブレーキ２９について、制動力調整処理を実行する場合を例に挙げて説明する。
【０１３９】
図２５のフローチャートにおいて、まず、載置台揺動用回転軸６３を時計方向に回転させる（ＳＴ５１）。これにより、図１５に示すように、係合片６６ｂが右側の係合部５１Ｒ２に押し当たり、右側の第１回動板３５Ｒ２が反時計方向に回転する。
【０１４０】
次に、反時計方向に回転した右側の第１回動板３５Ｒ２の回転角度が、最大回転角度に達したかどうかを判別する（ＳＴ５２）。回転角度は、第１回動板３５Ｒ２の静止状態を０°としたときの回転角度であり、回転軸３６の回転角度を当該回転軸３６に直結されるロータリエンコーダ７５で計測することによる。
【０１４１】
本実施例では、分解能（１回転あたりの出力パルス数）が“１００”のロータリエンコーダ７５を用いるものとする。この場合、回転軸３６が３．６°回転する毎にパルス電圧が出力され、回転軸３６の位置を示す角度は３．６°単位での検出となる。また、最大回転角度を１８°に設定する。
【０１４２】
図２６は、係合片６６ｂと右側の係合部５１Ｒ２との係合状態が終了した瞬間、すなわち載置台の反時計方向への回転角度が最大回転角度の１８°に達したときの状態を示す。
【０１４３】
上記ＳＴ５２で、“ＹＥＳ”のとき、すなわち載置台の回転が最大回転角度の１８°に達したことがロータリエンコーダ７５により検出されたとき、クラッチブレーキ２９を「基準ブレーキ作動パターン」で作動させる（ＳＴ５３）。「基準ブレーキ作動パターン」は、この制動力調整処理用に定めたクラッチブレーキ２９の作動パターンで、クラッチブレーキ２９の動作精度が正常であれば、所定時間経過後に載置台の回転前の元の位置である「原点位置」で載置台がきちんと停止するような作動パターンである。
【０１４４】
具体的には、図２８に示す実線ＰＴ０のようなパターンでクラッチブレーキ２９を作動させる。ここでは、Ｘ軸にクラッチブレーキ２９の作動時間［ｓ］、Ｙ軸にクラッチブレーキ２９の出力トルク［Ｎ・ｍ］を示している。この図２８に示すクラッチブレーキ２９の作動パターンでは、作動開始後ｔｎ［ｓ］経過時に第載置台が原点位置で停止するように定めたものである。
【０１４５】
続いて、基準ブレーキ作動パターンによるクラッチブレーキ２９の作動が完了したかどうか、すなわち、作動開始後ｔｎ［ｓ］経過したかどうかを判別する（ＳＴ５４）。
【０１４６】
ＳＴ５４で“ＹＥＳ”の場合、載置台の停止位置をロータリエンコーダ７５で計測し、原点位置との誤差の有無を判別し、原点位置にきちんと戻っているかどうかを確認する（ＳＴ５５）。
【０１４７】
ここで、原点位置を基準として反時計方向すなわち手前側を“−”とし、原点位置を基準として時計方向すなわち奥側を“＋”とし、回転軸３６の角度位置を定める。すなわち、クラッチブレーキ２９の作動が完了したとき、原点位置より３．６°手前の位置で回転軸３６の回転が停止したときは、原点位置との誤差が“−３．６°”と判別される。一方、クラッチブレーキ２９の作動が完了したとき、原点位置を超えて３．６°奥側の位置で停止したときは、原点位置との誤差が“＋３．６°”と判別される。
【０１４８】
上述の通り、使用されるロータリエンコーダ７５は、回転軸３６の位置を３．６°単位で検出するため、検出される原点位置との誤差は、手前側では“−１８°”，“−１４．４°”，“−１０．８°”，“−７．２°”，“−３．６°”のいずれかであり、奥側では、“＋１８°”，“＋１４．４°”，“＋１０．８°”，“＋７．２°”，“＋３．６°”のいずれかである。
【０１４９】
ＳＴ５５で“ＹＥＳ”の場合は、ロータリエンコーダ７５で検出した原点位置との誤差に応じて、クラッチブレーキ２９の調整トルク値を決定する（ＳＴ５６）。
【０１５０】
図２７に示すように、ロータリエンコーダ７５の検出値すなわち原点位置との誤差に応じてクラッチブレーキ２９の調整トルク値を決定される。ここで決定された調整トルク値をクラッチブレーキ２９の作動時に加減算することで、第１回動板３５Ｒ２について、誤差のない正常な動作が実現される。例えば、図７に示した各種ブレーキ作動パターンについて、決定された調整トルク値を加減算して作動させるものとする。
【０１５１】
図２８に示した「基準ブレーキ作動パターン」を例に説明すると、例えば、クラッチブレーキ２９の作動が完了したとき、原点位置を超えて３．６°奥側の位置で停止したとき、すなわち原点位置との誤差が＋３．６°の場合は、図２７より調整トルク値が＋Ｔ１であるので、基準ブレーキ作動パターンにＴ１加算したブレーキ作動パターンＰＴ１となる。これとは逆に、クラッチブレーキ２９の作動が完了したとき、原点位置より３．６°手前の位置で停止したとき、すなわち原点位置との誤差が−３．６°の場合は、図２７より調整トルク値が−Ｔ１であるので、基準ブレーキ作動パターンにＴ１減算したブレーキ作動パターンＰＴ６となる。
【０１５２】
以上の制動力調整処理は、載置台揺動装置６０を利用して行われるので、デモ演出実行時において実行することができる。この場合、デモ演出の一動作実行毎、すなわち載置台揺動用回転軸６３が１回転する毎に当該制動力調整処理を行うようにしてもよいし、所定回転毎に行うようにしてもよい。また、この制動力調整処理は、デモ演出中に限らず、例えば、ゲーム装置１の電源投入時等に行うようにしてもよい。
【０１５３】
図２９のフローチャートは、クラッチブレーキ２９の制動力調整処理の別の方法について、その手順を示す。ここでも、載置台に連結されるクラッチブレーキ２９について、制動力調整処理を実行する場合を例に挙げて説明する。
【０１５４】
図２９のフローチャートにおいて、まず、右側の載置台の左側、すなわち第１回動板３５Ｒ２の左側（トレイＬ１側）が奥側に押され、突き当たる位置まで押されたかどうか判別する（ＳＴ６１）。例えば、載置台は、ゲーム店の店員等の人間の手によって押される。もちろん、人間の手によらず自動的に奥側に移動させるような構成としてもよい。
【０１５５】
図３０は、載置台が突き当たる位置まで押されたときの状態を示す。この図３０に示すように、基台６ｂ上に円柱状の回転制止部材７６を取り付け、ここに第１回動板３５Ｒ２の側面を突き当てることで回転が制止される。この図３０に示すように、載置台が突き当たる位置まで押されたときの回転軸３６の回転角度は、原点位置から７０°の位置である。従って、載置台が突き当たる位置まで押されたかどうかは、回転軸３６に直結されたロータリエンコーダ７５が７０°の位置を検出することによって判別される。
【０１５６】
ＳＴ６１で“ＹＥＳ”のときは、所定の出力トルクでクラッチブレーキ２９を作動させ、載置台を固定させる（ＳＴ６２）。
【０１５７】
クラッチブレーキ２９による載置台の固定を完了したら、次に、そのクラッチブレーキ２９の出力トルクを徐々に弱めるようにクラッチブレーキ２９を制御する（ＳＴ６２）。
【０１５８】
図３１に示すように、第１回動板３５Ｒ２の固定したときの出力トルクをＭＡＸとし、時間に比例して出力トルクを徐々に弱める。
【０１５９】
その後、固定されていた第１回動板３５Ｒ２が原点位置の方へ移動を開始したか、すなわち動き出したかどうかを判別する（ＳＴ６４）。この動き出したかどうかの判別は、ロータリエンコーダ７５の検出値（７０°）が変動したかどうかによって判別される。
【０１６０】
載置台が動き出したとき（ＳＴ６４で“ＹＥＳ”）、そのときのクラッチブレーキ２９の出力トルクを計測し、この計測結果と「基準トルク」とを比較し、誤差があるかどうか判別する（ＳＴ６５）。ここで「基準トルク」とは、クラッチブレーキ２９の動作精度が正常である場合において、上記図３０に示した状態から載置台が動き出すときの出力トルクであり、予め定められる。例えば、図３１に示すように基準トルクが予め定められる。
【０１６１】
載置台が動き出したときの出力トルクと基準トルクとの間で誤差があるとき（ＳＴ６６で“ＹＥＳ”）、その誤差に応じてクラッチブレーキ２９の調整トルク値を決定する（ＳＴ６６）。例えば、基準トルクより大きいトルクで動き出したときは、その誤差分を調整トルク値として、通常のトルク値より当該調整トルク値分減算して、クラッチブレーキ２９を作動させるようにする。一方、基準トルクより小さいトルクで動き出したときは、その誤差分を調整トルク値として、通常のトルク値に調整トルク値分加算して、クラッチブレーキ２９を作動させるようにする。
【０１６２】
以上の制動力調整処理は、すべての載置台に連結されるクラッチブレーキ２９について行う。
【０１６３】
このような制動力調整処理を行うことで、クラッチブレーキ２９の動作精度にずれが生じた場合でも、所望の制動力が常に得られ、クラッチブレーキ２９による景品取得の難易度調節が安定したものとなる。すなわち、クラッチブレーキ２９の個体差や経年変化に影響されることなく、予め定めた景品の払出率を維持させることが可能となる。
【図面の簡単な説明】
【図１】本発明の実施形態である景品取得ゲーム装置の全体外観を示す斜視図。
【図２】景品取得ゲーム装置の動作を制御する制御手段の構成を示すブロック図。
【図３】景品押出手段の移動する様子を説明した図。
【図４】第１回動板の回転の機構を説明した図。
【図５】載置台の回転機構を説明した図。
【図６】設定レベルと払出率の関係を示す図。
【図７】クラッチブレーキの作動パターンを難易度ランク別に示す図。
【図８】ブレーキ作動時とブレーキ未作動時における載置台の動きを示した概略図。
【図９】制御回路が実行する処理手順を示すフローチャート。
【図１０】ゲーム制御処理の手順を示すフローチャート。
【図１１】図１０の続きを示すフローチャート。
【図１２】載置台揺動装置の構造を示す斜視図。
【図１３】図１２のXIII−XIII部分の断面図。
【図１４】載置台揺動装置が作動したときの第１の状態を示す図。
【図１５】載置台揺動装置が作動したときの第２の状態を示す図。
【図１６】載置台揺動装置が作動したときの第３の状態を示す図。
【図１７】トレイ上に景品を載置し、載置台揺動装置によるデモ演出が行われたときの動作を示す図。
【図１８】「初期メニュー」を示す図
【図１９】「初期メニュー」において「１．設定」を選択した後の表示内容を示す図。
【図２０】「ペイアウト設定メインメニュー」で「１．チャンスアップ設定」或いは「２．固定設定」のいずれかが選択された後の表示内容の流れを示す図。
【図２１】「初期メニュー」において「２．データ表示」を選択した後の表示内容を示す図。
【図２２】「初期メニュー」において「３．テスト」を選択した後の表示内容を示す図。
【図２３】「初期メニュー」において「４．アシスト」を選択した後の表示内容を示す図。
【図２４】「初期メニュー」において「５．その他」を選択した後の表示内容を示す図。
【図２５】クラッチブレーキの制動力調整処理の手順を示すフローチャート。
【図２６】載置台の反時計方向への回転角度が最大回転角度の１８°に達したときの状態を示す図。
【図２７】原点位置との誤差に応じたクラッチブレーキの調整トルク値を示す図。
【図２８】基準ブレーキ作動パターンを示す図。｀
【図２９】クラッチブレーキの制動力調整処理の別の方法についての手順を示すフローチャート。
【図３０】載置台が突き当たる位置まで押されたときの状態を示す図。
【図３１】時間に比例して出力トルクを徐々に弱めるときの時間と出力トルクとの関係を示す図。
【符号の説明】
１…景品取得ゲーム装置、２…筐体、２ａ…本体部、２ｂ…ドア部、２Ｓ…ドアセンサ、３…透明パネル、４…ゲーム空間、５Ｌ１，５Ｌ２，５Ｌ３，５Ｌ４，５Ｒ１，５Ｒ２，５Ｒ３，５Ｒ４…トレイ、６ａ，６ｂ…基台、７…景品、８…景品押出手段、８ａ…プッシャ、９…Ｚ軸スライドレール、１０…Ｘ軸スライドレール、１１…スロープ部、１２…落し穴部、１３…ゲーム操作部、１４…横移動操作ボタン、１４Ｓ…横移動操作スイッチ、１４Ｐ…横移動操作ボタンランプ、１５…上昇操作ボタン、１５Ｓ…上昇操作スイッチ、１５Ｐ…上昇操作ボタンランプ、１６…コイン投入口、１６Ｓ…コイン投入スイッチ、１７…景品払出口、１７Ｓ…景品検出センサ、１８…ゲームカウント表示部、１９…Ｘ軸初期位置検知センサ、２０…Ｘ軸限界位置検知センサ、２１…Ｙ軸初期位置検知センサ、２２…Ｙ軸限界位置検知センサ、２３…Ｚ軸上端検知センサ、２４…Ｚ軸下端検知センサ、２５…Ｘ軸方向駆動モータ、２６…Ｙ軸方向駆動モータ、２７…Ｚ軸方向駆動モータ、２８…装飾ランプ、２９…クラッチブレーキ、３０…制御回路、３１…ゲームカウンタ、３２…景品カウンタ、３３…ゲームモード／設定モード切換スイッチ、３５Ｌ１，３５Ｒ１，３５Ｌ２，３５Ｒ２…第１回動板、３５Ｌ１’…軸支穴、３６…回転軸、３７…連動部材、３７ａ…連動部材回転軸、３８，４２…ネジ、３９…ストッパ、４０…第２回動板、４０ａ…開口部、４１…第１バネ、４３…軸受カバー、４４…止部材、４５…カバー、４６…第２バネ、４７…第１傘歯車、４８…第２傘歯車、５０Ｌ１，５０Ｒ１，５０Ｌ２，５０Ｒ２…揺動部材、５１Ｌ１，５１Ｒ１，５１Ｌ２，５１Ｒ２…係合部、６０…載置台揺動装置、６１…載置台揺動装置駆動用モータ、６２…載置台揺動基台、６３…回転軸、６４…ピニオン、６６ａ，６６ｂ…係合片、７０…画面、７１…カーソル、７２…サービスプレイ表示部，７３…回転軌道、７５…ロータリエンコーダ、７６…回転制止部材。
【図１】
0003764057.tif 000002
【図２】
0003764057.tif 000003
【図３】
0003764057.tif 000004
【図４】
0003764057.tif 000005
【図５】
0003764057.tif 000006
【図６】
0003764057.tif 000007
【図７】
0003764057.tif 000008
【図８】
0003764057.tif 000009
【図９】
0003764057.tif 000010
【図１０】
0003764057.tif 000011
【図１１】
0003764057.tif 000012
【図１２】
0003764057.tif 000013
【図１３】
0003764057.tif 000014
【図１４】
0003764057.tif 000015
【図１５】
0003764057.tif 000016
【図１６】
0003764057.tif 000017
【図１７】
0003764057.tif 000018
【図１８】
0003764057.tif 000019
【図１９】
0003764057.tif 000020
【図２０】
0003764057.tif 000021
【図２１】
0003764057.tif 000022
【図２２】
0003764057.tif 000023
【図２３】
0003764057.tif 000024
【図２４】
0003764057.tif 000025
【図２５】
0003764057.tif 000026
【図２６】
0003764057.tif 000027
【図２７】
0003764057.tif 000028
【図２８】
0003764057.tif 000029
【図２９】
0003764057.tif 000030
【図３０】
0003764057.tif 000031
【図３１】
0003764057.tif 000032